(57)【特許請求の範囲】
【請求項１】
２種類以上のブリスルをブリスル台より突出するように設けられたブラシ体を備えるヘアーセッターであって、所定のブリスル群の連結部及び所定以外の他のブリスル群の連結部をブリスル台の裏面に位置させ、所定のブリスル群の連結部を所定のブリスル群以外の他のブリスル群の連結部とブリスル台との裏面で挟持して成ることを特徴とするヘアーセッター。
【請求項２】
他のブリスル群の連結部を直線状の形状にしたことを特徴とする請求項１に記載のヘアーセッター。
【請求項３】
他のブリスル群の連結部を面状の形状にしたことを特徴とする請求項１に記載のヘアーセッター。
【請求項４】
ブリスル台の材質を弾性材にしたことを特徴とする請求項１に記載のヘアーセッター。
【請求項５】
ブリスル台の形状を外面に突出する断面円弧状に形成して、ブリスル台から放射状に突出するようにブリスルを設けたことを特徴とする請求項１に記載のヘアーセッター。
【請求項６】
所定のブリスル群をブリスル台の表面の円弧状の頂上を境にして断面円弧上において対称位置となるようにブリスル台に設けたことを特徴とする請求項１に記載のヘアーセッター。
【請求項７】
ブラシ体とグリップ体とを具備し、グリップ体に送風手段を設け、グリップ体に中空部を持たせたブラシ体と連結させて、ブラシ体の外面に設けたブリスル台にブラシ体の中空部と繋がる吹出し孔を設けて、グリップ体から送風された風を上記吹出し孔から吐出させることを特徴とする請求項1乃至６のいずれかに記載のヘアーセッター。
【発明の詳細な説明】
【０００１】
【発明の属する技術分野】
本発明は、毛髪にカール付け等の整髪を行うヘアーセッターに関するものである。
【０００２】
【従来の技術】
従来における毛髪にカール付け等の整髪を行うヘアーカール器やヘアーブラシ等のヘアーセッターとしては、例えば図８に示されるようなものがある。このヘアーセッターはグリップ体１０と、このグリップ体１０の一端に装着されたブラシ体４とから構成されている。また、ブラシ体４の外部にはブリスル９がブリスル台３から突出するように一体成型が成されている。その配列はブリスル台３の長手方向に沿って等間隔で一列状に、また短手方向に複数列配列して、ブリスル台３の全体に亘って配置しているものである。
【０００３】
【発明が解決しようとする課題】
しかし、上記の従来の技術の例のようにブリスル９とブリスル台３とを一体成型される場合において、ブリスル９とブリスル台３を異なる材質で設けようとした場合には２色成型となり、それに伴い金型が複雑化して技術的に難しくなる。更に一体成型でもってブリスル９の種類を増やす場合には、更に金型が複雑化し技術的に難しくなるものである。
【０００４】
また、ブリスル９をブリスル台３に穿かれたブリスル孔にブリスル台３の裏面より挿入することで多種類のブリスルをブリスル台３に設けることができるが、挿入された異なるのブリスル同士は一体に固定することができなかったため、異なるブリスル同士に一体感を持たせるようにはいかなかった。
【０００５】
本発明は上記の点に鑑みてなされたものであり、異なるブリスル群を一体感を持たせながらブリスル台に設けたヘアーセッターを提供することを課題とするものである。
【０００６】
【課題を解決するための手段】
本発明に係るヘアーセッターは、２種類以上のブリスル１，２をブリスル台３より突出するように設けられたブラシ体４を備えるヘアーセッターであって、所定のブリスル群７の連結部８及び所定以外の他のブリスル群５の連結部６をブリスル台３の裏面に位置させ、所定のブリスル群７の連結部８を所定のブリスル群７以外の他のブリスル群５の連結部６とブリスル台３との裏面で挟持して成ることを特徴としたものであり、このことより所定のブリスル群７を他のブリスル群５と一体感を持たせてブリスル台３に装着することができるものである。
【０００７】
また、本発明の請求項２に係るヘアーセッターは、請求項１の構成に加えて、他のブリスル群５の連結部６を直線状の形状にしたことを特徴としたものであり、これにより他のブリスル１の間の部分でもブリスル台３に係止することができるため、他のブリスル群５の他のブリスル１の抜け止め効果も所定のブリスル群７の挟持効果も大きいものになり、より一体感のあるブリスル１，２を有するヘアーセッターにすることができ、また所定のブリスル群７をブリスル台３に設置した後に、他のブリスル群５をブリスル台３に装着する際にはブリスル台３の短手方向に数列分の数回の装着で済むため、組立性が向上するものである。
【０００８】
また、本発明の請求項３に係るヘアーセッターは、請求項１の構成に加えて、他のブリスル群５の連結部６を面状の形状にしたことを特徴としたものであり、これによりブリスル台３の裏面の全面においてブリスル台３に係止することができるため、他のブリスル群５の他のブリスル１の抜け止め効果も所定のブリスル群７の挟持効果も非常に大きいものになり、より一体感のあるブリスル１，２を有するヘアーセッターにすることができ、また所定のブリスル群７をブリスル台３に設置した後に、他のブリスル群５をブリスル台３に装着するのに１回の装着で済むために更に組立性が向上するものである。
【０００９】
また、本発明の請求項４に係るヘアーセッターは、請求項１の構成に加えて、ブリスル台３の材質を弾性材にしたことを特徴としたものであり、このことによりヘアーセッターを使用する際、ブリスル１，２の動きにブリスル台３が追従するように粘りのある動きができるようになり、ヘアーセッターの性能が向上するものである。
【００１０】
また、本発明の請求項５に係るヘアーセッターは、請求項１の構成に加えて、ブリスル台３の形状を外面に突出する断面円弧状に形成してブリスル台３から放射状に突出するようにブリスル１，２を設けたことを特徴とするものであり、これによりヘアーセッターの傾きに関わらず常にブリスル１，２を正しい姿勢で毛髪にむかわせることができ、より多くの毛髪をブラシ体４に取り込むことができるものである。
【００１１】
また、本発明の請求項６に係るヘアーセッターは、請求項１の構成に加えて、所定のブリスル群７をブリスル台３の円弧状の表面の頂上２５を境にしてブリスル台３の断面円弧上において対称位置となるようにブリスル台３に設けたことを特徴とするものであり、これによりヘアーセッターをブリスル台３の短手方向に動かして毛髪を通すことについて、ヘアーセッターのどちらの側からでも同じ要領で行うことができるものである。
【００１２】
また、本発明の請求項７に係るヘアーセッターは、請求項１乃至６のいずれかの構成に加えて、ブラシ体４とグリップ体１０とを具備し、グリップ体１０に送風手段を設けて、中空部１２を持たせたブラシ体４と連結させて、ブラシ体４の外面に設けたブリスル台３にブラシ体４の中空部１２と繋がる吹出し孔１１を設けて、グリップ体１０から送風された風を上記吹出し孔１１から吐出させることを特徴とするものであり、これによりブリスル１，２にて取り込まれてブラシ体４で保持された毛髪に向かって空気を吹出し孔１１から噴出することができ、毛髪の形状を所望の形状に固定して整髪をすることや濡れた毛髪を効率よく乾燥させることができるものである。
【００１３】
【発明の実施の形態】
以下、本発明を添付図面に示す実施形態に基づいて説明する。
【００１４】
図１乃至２に本発明の実施の形態に一例を示す。このヘアーセッターは、図１に示すように、ヘアーセッターの長手方向の一端側がブラシ体４、他端側がグリップ体１０にて構成されている。ブラシ体４はブリスル台３とブラシ外郭部１５とから構成されている。ブラシ外郭部１５の内面側にはブリスル台保持枠１６の左右両端が保持されて取り付けられている。ブリスル台３はその左右両端に形成されたブリスル台フック１７がブリスル台３の左右両端のブラシ外郭部１５に形成されたブリスル台固定部１８に嵌合されることによりブラシ外郭部１５に取り付けられており、このときブリスル台３は内面においてブリスル台保持枠１６に保持されているものである。ブリスル台３は外方に向けて突出する円弧形状に形成されており、ブリスル台３の裏面には所定のブリスル群７の連結部８及び所定以外の他のブリスル群５の連結部６が位置し、所定のブリスル群７の連結部８を所定のブリスル群７以外の他のブリスル群５の連結部８とブリスル台３との裏面で挟持しているものである。
【００１５】
ここで、図１乃至２に示す実施形態では、所定のブリスル群７は片状をした連結部８の表面側に長さの短い多数の所定のブリスル２（以下短ブリスル２'とする）を突設して構成してある。片状をした連結部８の両端部には挟持片２６が設けてあり、この挟持片２６に連通孔２１が穿設してある。
【００１６】
また、他のブリスル群５は短冊状をした連結部６に一列長さの長い多数の他のブリスル１（以下長ブリスル１'とする）が突設して構成してある。長ブリスル１'は短ブリスル２'よりも長いものである。
【００１７】
ブリスル台３は、表面側にむけて凸となる断面弧状をした形状をしており、他のブリスル孔１９及び所定のブリスル群孔２０とが多数個設けてある。この実施形態では、ブリスル台３の長手方向に一列状となった多数の他のブリスル孔１９により他のブリスル孔群１９ａが形成してあり、この他のブリスル孔群１９ａをブリスル台３の短手方向に複数列設けてある。ブリスル台３の任意の他のブリスル孔群１９ａと、隣接する他のブリスル孔群１９ａとの間には所定のブリスル群孔２０を設けてある。
【００１８】
上記のような構成の所定のブリスル群７と他のブリスル群５とをブリスル台３とに取りつけるには、所定のブリスル群７の短ブリスル２'をブリスル台３の内側から上記所定のブリスル群孔２０に挿入して嵌合する。ここでは所定のブリスル群７の連結部８の両端の挟持片２６をブリスル台３の裏面に接触させ、連通孔２１は他のブリスル孔１９と連通する。次に任意の他のブリスル群５の長ブリスル１'をブリスル台３の内側から上記連通孔２１を介して他のブリスル孔１９に挿入して嵌合する。ここで連結部６は連結部８の両端の挟持片２６を挟むように装着されるものである。また、上記のようにして装着した他のブリスル群５以外の他のブリスル群５の長ブリスル１'は他のブリスル孔１９のみに挿入されて装着されることになる。
【００１９】
また、上記のような状態の後に、ブリスル台３はブリスル台保持枠１６によって支持されてブリスル台フック１７によってブリスル台固定部１８に嵌合されてブラシ体４が組みあがるものである。ブリスル台保持枠１６には長ブリスル支持体（図示せず）が設けられており、ブリスル台３をブリスル台保持枠１６により支持すると同時に連結部６は長ブリスル支持体によってブリスル台３の裏面に押えつけられ固定されるものである。上記のように固定された連結部６は挟持片２６を挟持しながら固定されるので、所定のブリスル群７と他のブリスル群５は一体感を持たせてブリスル台３に装着されるものである。
【００２０】
また、図２に示すように所定のブリスル群７はブリスル台３の円弧状の表面の頂上２５を境にしてブリスル台３の断面円弧上において対称位置となるようにブリスル台３に設けてあるので、ヘアーセッターを短手方向に動かして毛髪通すことについて、ヘアーセッターの短手方向のどちらの側からでも同じ要領で行うことができるものである。
【００２１】
また、ブリスル１，２は図２に示すように平面側より見るとブリスル台３から放射状に突出して装着してあるので、ヘアーセッターの傾きに関わらず常にブリスル１，２を正しい姿勢で毛髪にむかわせることができ、より多くの毛髪をブラシ体４に取り込むことができるものである。
【００２２】
また、ブリスル台３は、ポリエステルエラストマー等の合成樹脂にて形成され、若干の弾性を有するものにするのも好ましい。ヘアーセッターを使用する際、ブリスル１，２の動きにブリスル台３が追従するように粘りのある動きができるようになり、ヘアーセッターの性能が向上するものである。
【００２３】
また、実施の形態の他例を図３乃至６に示す。このヘアーセッターは、上記の実施の形態であるヘアーセッターに温風吹出し機能を備え付けたものである。上記の温風吹出し機能に伴いヘアセッターの構成が若干異なっているので、異なっている点を中心に説明する。
【００２４】
このヘアーセッターは長手方向の一端側がブラシ体４、他端側がグリップ体１０にて構成されている。グリップ体１０の長手方向の一端にはブラシ体４が着脱自在に装着されるブラシ装着部１３が形成されている。グリップ体１０の他端を構成する端部ハウジング２２には、グリップ体１０の内部に連通するメッシュ状の空気吸込口１４が設けられ、またこの端部ハウジング２２には、電源コード２３が接続されている。またグリップ体１０のハウジングの側面には操作部２４が設けられ、上記操作部２４を操作することでグリップ体１０内に設けられた送風装置は空気吸込口１４から空気を吸引してこの空気をブラシ体４まで送るものであり、このとき空気はグリップ体１０内に設けられたヒーターによって加熱されて温風としてブラシ体４の中空部１２に送られるものである。ブリスル台３には他のブリスル群５と吹出し孔１１がブリスル台３の全体に亘って設けられ、上記吹出し孔１１は長ブリスル群５が形成する列の列方向に沿って長い長孔として設けられている。この吹出し孔１１はグリップ体１０内部に設けられた中空部１２に連通しているものである。また、本実施の形態の他例においてはブリスル台３に設けられる所定のブリスル群７は他のブリスル群５に隣接してブリスル台３の長手方向に一列状に３ブロックずつ設けられているものである。このようにすることにより、ブリスル１，２にて取り込まれブラシ体４で保持された毛髪に向かって空気及び温風を吹出し孔１１から噴出することで、毛髪の形状を所望の形状に固定して整髪をすること及び濡れた毛髪を効率よく乾燥させることができるものである。
【００２５】
また、上記いずれの実施の形態の例においても、他のブリスル群５は短冊状をした連結部６に一列に多数の長ブリスル１'が突設して構成してあるものであったが、本実施の形態では図７に示すように、他のブリスル群はブリスル台３のほぼ全面に亘るような面状の形状を有した連結部６にブリスル台３に装着する全ての長ブリスル１'が突設して構成されるものである。上述した一列状の連結部６が形成する他のブリスル群５の例に比べて、ブリスル台３のほぼ全面に亘るような連結部６が形成する他のブリスル群５ではブリスル台３の内面に接触する面積が大きくなると共に連結部８に接触する面積も大きくなるため、長ブリスル１'の抜け止め効果も所定のブリスル群７の挟持効果も更に大きいものになるものである。また、所定のブリスル群７をブリスル台３に設置した後に、他のブリスル群５をブリスル台３に装着するのに１回で済むために更に組立性が向上するものである。
【００２６】
なお、上記いずれの実施の形態においても、長ブリスル１'はポリブチレンテレフタレート（ＰＢＴ）等の合成樹脂で、短ブリスル２'はポリエステルエラストマー等の合成樹脂にてそれぞれ形成されている。共に可撓性を有する材料であるが、短ブリスル２'の方が軟質の材料にしてあるものである。
【００２７】
【発明の効果】
上記のように本発明の請求項１記載の発明にあっては、２種類以上のブリスルをブリスル台より突出するように設けられたブラシ体を備えるヘアーセッターであって、所定のブリスル群の連結部及び所定以外の他のブリスル群の連結部をブリスル台の裏面に位置させ、所定のブリスル群の連結部を所定のブリスル群以外の他のブリスル群の連結部とブリスル台との裏面で挟持して成ることを特徴とするものであり、所定のブリスル群を他のブリスル群と一体感を持たせてブリスル台に装着することができるものである。
【００２８】
また、本発明の請求項２に係るヘアーセッターは、請求項１の構成に加えて、他のブリスル群の連結部を直線状の形状にしたことを特徴とするものであり、これによりブリスル台に装着する他のブリスルの間の部分もブリスル台の裏面及び所定のブリスル群の連結部に接触して係止することができ、他のブリスル群の他のブリスルの抜け止め効果も所定のブリスル群の挟持効果も大きいものになり、また所定のブリスル群をブリスル台に装着した後での列状に連接された他のブリスル群をブリスル台に装着する回数はブリスル台の短手方向に数列分の数回の装着で済むので組立性が向上するものである。
【００２９】
また、本発明の請求項３に係るヘアーセッターは、請求項１の構成に加えて、他のブリスル群の連結部を面状の形状にしたことを特徴とするものであり、これによりブリスル台の裏面及び所定のブリスル群の連結部との接触面積を大きくして係止することができ、他のブリスルの抜け止め効果も所定のブリスル群の挟持効果も非常に大きいものになり、また所定のブリスル群をブリスル台に装着した後での他のブリスル群をブリスル台に設置する回数は１回で済むために更に組立性が向上するものである。
【００３０】
また、本発明の請求項４に係るヘアーセッターは、請求項１の構成に加えて、ブリスル台の材質を弾性材にしたことを特徴とするものであり、これによりヘアーセッターを使用する際、ブリスルの動きにブリスル台が追従するように粘りのある動きができるようになり、ヘアーセッターの性能が向上するものである。
【００３１】
また、本発明の請求項５に係るヘアーセッターは、請求項１の構成に加えて、ブリスル台の形状を外面に突出する断面円弧状に形成して、ブリスル台から放射状に突出するようにブリスルを設けたことを特徴とするものであり、これによりヘアーセッターの傾きに関わらず常にブリスルを正しい姿勢で毛髪にむかわせることができ、より多くの毛髪をブラシ体に取り込むことができるものである。
【００３２】
また、本発明の請求項６に係るヘアーセッターは、請求項１の構成に加えて、所定のブリスル群をブリスル台の表面の円弧状の頂上を境にして断面円弧上において対称位置となるようにブリスル台に設けたことを特徴とするものであり、これによりヘアーセッターを短手方向に動かして毛髪通すことについて、ヘアーセッターの短手方向のどちらの側からでも同じ要領で行うことができるものである。
【００３３】
また、本発明の請求項７に係るヘアーセッターは、請求項１乃至６のいずれかの構成に加えて、ブラシ体とグリップ体とを具備し、グリップ体に送風手段を設けて、中空部を持たせたブラシ体と連結させて、ブラシ体の外面に設けたブリスル台にブラシ体の中空部と繋がる吹出し孔を設けて、グリップ体から送風された風を上記吹出し孔から吐出させることを特徴とするものであり、これによりブリスルにて取り込まれブラシ体で保持された毛髪に向かって空気及び温風を吹出し孔から噴出することで、毛髪の形状を所望の形状に固定して整髪をすること及び濡れた毛髪を効率よく乾燥させることができるものである。
【図面の簡単な説明】
【図１】本発明の実施の形態の例を示すものであり、（ａ）は正面図、（ｂ）はＡ−Ａ'断面図、（ｃ）は側面図である。
【図２】図１（ｂ）の拡大図である。
【図３】同上の実施の形態の他例を示すものであり、（ａ）は正面図、（ｂ）はＢ−Ｂ'断面図、（ｃ）は所定のブリスル群の拡大図である。
【図４】同上の実施の形態の他例における所定のブリスル群のみを配置した時のブリスル台裏面を示すものであり、（ａ）は正面図、（ｂ）は側面図である。
【図５】同上の実施の形態の他例をにおける列状に連接した他のブリスル群の一部拡大図であり、（ａ）は正面図、（ｂ）は側面図である。
【図６】図４の所定のブリスル群の配置に加えて列状の連接部を有する他のブリスル群を装着したときのブリスル台裏面を示すものであり、（ａ）は正面図、（ｂ）は側面図である。
【図７】図４の所定のブリスル群の配置に加えて面状の連接部を有する他のブリスル群を装着したときのブリスル台裏面を示すものであり、（ａ）は正面図、（ｂ）は側面図である。
【図８】従来技術を示すものであり、（ａ）は正面図、（ｂ）は平面図、（ｃ）は側面図である。
【符号の説明】
１  他のブリスル
１'  長ブリスル
２  所定のブリスル
２’  短ブリスル
３  ブリスル台
４  ブラシ体
５  他のブリスル群
６  連結部
７  所定のブリスル群
８  連結部
１０  グリップ体
１１  吹出し孔
２５  頂上
２６  挟持片
【図１】
0003743219.tif 000002
【図２】
0003743219.tif 000003
【図３】
0003743219.tif 000004
【図４】
0003743219.tif 000005
【図５】
0003743219.tif 000006
【図６】
0003743219.tif 000007
【図７】
0003743219.tif 000008
【図８】
0003743219.tif 000009